(57)【要約】【課題】  シンプルな構成で、給水時に空になった薬液容器の洗浄を、周囲に水を飛散させることなく行えるようにすることができるようにする。【解決手段】  本発明の薬液タンク用のストレーナ１は、薬液タンク１０の給液口１１内に着脱可能に取り付けられる筒状部２と、該筒状部２の下端側開口を閉じ且つフィルタ部材３を有する開口部４が形成された底板部５とを備えている。そして、筒状部２又は底板部５に支持された洗浄パイプ６を備えている。洗浄パイプ６は、両端側の開口６ａ，６ｂがそれぞれ略上向きになるように形成された略Ｕ字状の経路を有するとともに、一方の開口６ａが給水ホース１２が接続可能に形成され、他方の開口６ｂが希釈前の薬液を入れる薬液容器１３の口に挿入可能に形成されている。【選択図】      図５
2012023963.tif 000002
【特許請求の範囲】
【請求項１】
薬液タンクの給液口内に着脱可能に取り付けられる筒状部と、該筒状部の下端側開口を閉じ且つフィルタ部材を有する開口部が形成された底板部とを備えたストレーナであって、
前記筒状部又は前記底板部に支持された洗浄パイプを備えており、
該洗浄パイプは、両端側の開口がそれぞれ略上向きになるように形成された略Ｕ字状の経路を有するとともに、一方の開口が給水ホースが接続可能に形成され、他方の開口が希釈前の薬液を入れる薬液容器の口に挿入可能に形成された薬液タンク用のストレーナ。
【請求項２】
前記洗浄パイプは、その下端部に、前記経路に連通する水抜き穴が設けられた請求項１記載の薬液タンク用のストレーナ。
【請求項３】
前記底板部における略中央に立設された支軸と、該支軸を中心に軸支されたガイド部材とを備え、該ガイド部材は、前記給液口内における前記開口部に向けた給水ホースの先端部分を差込可能且つ保持可能なガイド穴を有する給水ホースガイドを備えた請求項１又は２記載の薬液タンク用のストレーナ。
【発明の詳細な説明】
【技術分野】
【０００１】
本発明は、水で希釈した薬液を貯溜する薬液タンク用のストレーナに関するものである。
【背景技術】
【０００２】
薬液タンクに対する希釈薬液の貯溜は、給水と同時に薬液容器から薬液の注入を行うことによりなされている。給水は水道に接続されたホースを用いて行われることが多い。
【０００３】
この希釈薬液の供給の最中に薬液容器が空になると、薬液タンクの給液口の上方にて、ホースから放出される水で薬液容器が洗浄される。このとき洗浄に利用されて薬液が混合した水である洗浄液は、薬液タンクの給液口に落下する。この洗浄方法によれば、薬液容器の洗浄をその場で済ませることができるとともに、洗浄液を別途処理する必要がないという利点がある。
【０００４】
また、例えば、特許文献１に記載された薬液噴霧機のように、薬液容器を洗浄する手段を薬液タンクに設けたものもある。この薬液噴霧機１０１は、図７に示すように、薬液タンク１０８から薬液を吸引して農作物や園芸植物に薬液噴霧ノズル（図示略）より薬液を噴霧する動力噴霧手段を備えている。そして、薬液タンク１０８に設けた薬液容器用の洗浄口１１１と対向する薬液タンク１０８の内部に洗浄用ノズル１１３を配置し、洗浄用ノズル１１３に使用済みの薬液容器の口縁部を被せて薬液タンク１０８内の薬液を洗浄液として薬液容器内に噴射して洗浄するようにしている。
【先行技術文献】
【特許文献】
【０００５】
【特許文献１】特開２００３−２１９７８０号公報
【発明の概要】
【発明が解決しようとする課題】
【０００６】
ところが、薬液タンクの給液口の上方にて、ホースから放出される水で薬液容器を洗浄する方法では、薬液タンクに勢いよく給水しているホースから薬液容器の小さい口に給水するため、洗浄液が薬液タンクの表面や周囲に飛散してしまうという課題がある。特に、薬液タンクを背負うように構成された背負い式噴霧器場合、その背負い部分を濡らしてしまい、噴霧時に不快な作業を余儀なくされるという課題がある。
【０００７】
また、特許文献１の薬液タンク１０８では、薬液タンク１０８内に貯溜された希釈薬液を薬液容器の洗浄液としているため、薬液容器内に農薬が残留し易いという課題がある。また、洗浄用ノズル１１３から洗浄液を噴射させるための動力噴霧手段を必要としており、このような動力噴霧手段を備えた機械にしか装備できないという課題がある。
【課題を解決するための手段】
【０００８】
上記課題を解決するために、本発明の薬液タンク用のストレーナは、
薬液タンクの給液口内に着脱可能に取り付けられる筒状部と、該筒状部の下端側開口を閉じ且つフィルタ部材を有する開口部が形成された底板部とを備えたストレーナであって、
前記筒状部又は前記底板部に支持された洗浄パイプを備えており、
該洗浄パイプは、両端側の開口がそれぞれ略上向きになるように形成された略Ｕ字状の経路を有するとともに、一方の開口が給水ホースが接続可能に形成され、他方の開口が希釈前の薬液を入れる薬液容器の口に挿入可能に形成されている。
【０００９】
この構成によれば、前記給液口に水を供給するための給水ホースを前記一方の開口に接続すると、前記他方の開口から水が上向きに放出されるので、前記給液口の内側において薬液容器を洗浄することができる。しかも、薬液を希釈するために薬液タンクに入れる水で使用済みの薬液容器を洗浄するので、薬液容器内に農薬が残留することを防止できる。さらに、給水ホースから放出される水を使用して洗浄用の水を放出させるように構成しているので、ポンプ等の加圧手段を設ける必要がない。このように、シンプルな構成で、給水時に空になった薬液容器の洗浄を、周囲に水を飛散させることなく行えるようにすることができる。
【００１０】
前記薬液タンク用のストレーナにおいては、
前記洗浄パイプは、その下端部に、前記経路に連通する水抜き穴が設けられた態様を例示する。
【００１１】
この構成によれば、洗浄パイプ内に水が残留することが防止でき、洗浄パイプ内に残留した水が凍結する等の問題が発生しない。
【００１２】
前記薬液タンク用のストレーナにおいては、
前記底板部における略中央に立設された支軸と、該支軸を中心に軸支されたガイド部材とを備え、該ガイド部材は、前記給液口内における前記開口部に向けた給水ホースの先端部分を差込可能且つ保持可能なガイド穴を有する給水ホースガイドを備えた態様を例示する。
【００１３】
この構成によれば、前記給水ホースの先端部分が前記給水口内で保持されることにより、給水中に、該給水ホースが該給水口から外れて水が周囲に飛散してしまうことを防止できる。また、前記給水ホースを手で持つ必要がないので、薬液タンクに対する給水作業と同時に薬液の注入作業を行う場合の作業性がよい。
【発明の効果】
【００１４】
本発明に係る薬液タンク用のストレーナによれば、このように、シンプルな構成で、給水時に空になった薬液容器の洗浄を、周囲に水を飛散させることなく行えるようにすることができるという優れた効果を奏する。
【図面の簡単な説明】
【００１５】
【図１】本発明を具体化した一実施形態に係る薬液タンク用のストレーナの平面図である。
【図２】図１のＩＩ−ＩＩ線端面図である。
【図３】図１のＩＩＩ−ＩＩＩ線断面図である。
【図４】同ストレーナにおけるホースガイドのガイド部材を示す平面図であり、（ａ）は同ガイド部材の使用方法を示す図、（ｂ）は同ガイド部材の変更例を示す図である。
【図５】同ストレーナの使用方法を示す図３と同様の断面図である。
【図６】同ストレーナにおけるホースガイドの変更例を示す図であり、（ａ）は平面図、（ｂ）は（ａ）のｂ−ｂ線断面図である。
【図７】従来の薬液タンクに設けられた薬液容器洗浄手段を示す斜視図である。
【発明を実施するための形態】
【００１６】
図１〜図５は本発明を具体化した一実施形態の薬液タンク用のストレーナを示している。このストレーナ１は、図１〜図３に示すように、薬液タンク１０の給液口１１内に着脱可能に取り付けられる筒状部２と、該筒状部２の下端側開口を閉じ且つフィルタ部材３を有する開口部４が形成された底板部５と、該底板部５に支持された洗浄パイプ６及び給水ホースガイド７とを備えている。
【００１７】
筒状部２は、薬液タンク１０の給液口１１の内側に嵌装可能に略筒状に形成されている。本例では、筒状部２の下部２ａは、円形に開口した給液口１１の内側に嵌入可能に円筒状に形成されており、筒状部２の上部２ｂは、その外周が、給液口１１の内周面に突設された環状凸部に係止されるように段状に拡径されてなっている。
【００１８】
底板部５には、複数（本例では４つ）の開口部４が形成されており、該各開口部４は網状のフィルタ部材３を有している。
【００１９】
給水ホースガイド７は、底板部５における略中央に立設された支軸２１と、該支軸２１を中心に軸支された小片状のガイド部材２２とを備えている。ガイド部材２２は、給液口１１内における開口部４に向けた給水ホース１２の先端部分を差込可能且つ保持可能なガイド穴２３を有している。ガイド部材２２は可撓性を有しており、図４（ａ）に示すように、その先端部を上方に曲げることにより、洗浄パイプ６のホース接続口６ａ及び放水口６ｂとの干渉を避けて回動可能になっており、ホース接続口６ａ及び放水口６ｂと干渉しない任意の位置に移動させることができる。ガイド部材２２としては、図４（ｂ）に示すように複数種類の外径の給水ホース１２が差込可能となるように、該複数種類のガイド穴２３を設けるように構成することも可能である。
【００２０】
洗浄パイプ６は、両端側の開口がそれぞれ略上向きになるように形成された略Ｕ字状の経路を有するとともに、一方の開口６ａが給水ホース１２が接続可能に形成され、他方の開口６ｂが希釈前の薬液を入れる薬液容器１３の口に挿入可能に形成されている。洗浄パイプ６の下端部には、前記経路に連通する水抜き穴６ｃが設けられている。本例の洗浄パイプ６は、底板部５に設けられた一対の貫通穴５ａ，５ｂの上側にそれぞれ装着されるホース接続口部３１及び放水口部３２と、該一対の貫通穴５ａ，５ｂの下側に装着され、該両貫通穴を連結する略Ｕ字状パイプ部３３とにより構成されている。ホース接続口部３１の上端部は、給水ホース１２の口に容易に挿入可能となり、また、種々の内径の給水ホース１２に対応可能となるように、上端側に向かってテーパー状に縮径されてなっている。また、放水口部３２の上端部は、薬液容器１３の口に容易に挿入可能となるように、上端側に向かってテーパー状に縮径されてなっている。
【００２１】
次に、本例の薬液タンク１０のストレーナ１の使用方法について説明する。
（１）薬液タンク１０に給水する場合は、まず、給水ホース１２の先端部分を給水ホースガイド７のガイド穴２３に上から挿入することにより、給水ホースガイド７により該先端部分をストレーナ１内において底板部５の開口部４に向けて保持させる。次いで、給水ホース１２を介しての薬液タンク１０への給水を開始する。この給水とともに、適宜、薬液容器１３からストレーナ１に対して薬液を注入する。
【００２２】
（２）空になった薬液容器１３を洗浄する場合は、まず、薬液容器１３を手で持ち、該薬液容器１３の口を下に向けて、洗浄パイプ６の放水口部３２の上に被せる。次いで、給水ホースガイド７から、給水ホース１２を取り外し、該給水ホース１２の口を洗浄パイプ６のホース接続口６ａに被せる。すると、放水口６ｂから薬液容器１３内に水が放出され、図５に示すように薬液容器１３が洗浄される。このとき、洗浄パイプ６のホース接続口６ａに給水ホース１２を完全に接続してもよいが、同図に示すようにホース接続口６ａに対する給水ホース１２の口の被せ量を適宜調節することにより、洗浄パイプ６への水の供給量を適宜調節することができる。薬液容器１３の洗浄が終了すると、洗浄パイプ６のホースをホース接続口６ａから取り外し、再び給水ホースガイド７に保持させる。
【００２３】
以上のように構成された本例の薬液タンク１０によれば、給液口１１に水を供給するための給水ホース１２を一方の開口６ａに接続すると、他方の開口６ｂから水が上向きに放出されるので、給液口１１の内側において薬液容器１３を洗浄することができる。しかも、薬液を希釈するために薬液タンク１０に入れる水で使用済みの薬液容器１３を洗浄するので、薬液容器１３内に農薬が残留することを防止できる。さらに、給水ホース１２から放出される水を使用して洗浄用の水を放出させるように構成しているので、ポンプ等の加圧手段を設ける必要がない。このように、シンプルな構成で、給水時に空になった薬液容器１３の洗浄を、周囲に水を飛散させることなく行えるようにすることができる。
【００２４】
また、洗浄パイプ６は、前記略Ｕ字状の経路の下端部に水抜き穴６ｃが設けられているので、洗浄パイプ６内に水が残留することが防止でき、洗浄パイプ６内に残留した水が凍結する等の問題が発生しない。
【００２５】
また、給水ホースガイド７を備えているので、給水ホース１２の先端部分が給液口１１内で保持されることにより、給水中に、該給水ホース１２が該給液口１１から外れて水が周囲に飛散してしまうことを防止できる。また、給水ホース１２を手で持つ必要がないので、薬液タンク１０に対する給水作業と同時に薬液の注入作業を行う場合の作業性がよい。
【００２６】
なお、本発明は前記実施形態に限定されるものではなく、例えば以下のように、発明の趣旨から逸脱しない範囲で適宜変更して具体化することもできる。
（１）給水ホースガイド７又は／及び洗浄パイプ６を筒状部２に支持させること。
（２）図６に示すように、給水ホースガイド７を、底板部５の略中央に立設した筒体２５にし、この筒体２５の中に給水ホース１２の先端を差し込むことにより、該先端を保持させるように構成すること。
（３）本発明のストレーナ１を、背負い式噴霧機の薬液タンクや、圃場走行手段を備えた噴霧機の薬液タンク等のあらゆる薬液タンクに利用すること。
【符号の説明】
【００２７】
１    薬液タンク用のストレーナ
２    筒状部
２ａ  下部
２ｂ  上部
３    フィルタ部材
４    開口部 
５    底板部
５ａ  貫通穴
５ｂ  貫通穴
６    洗浄パイプ
６ａ  ホース接続口（一方の開口）
６ｂ  放水口（他方の開口）
６ｃ  水抜き穴
７    給水ホースガイド
１０    薬液タンク
１１    給液口
１２    給水ホース
１３    薬液容器
２１    支軸
２２    ガイド部材
２３    ガイド穴
２５    筒体
３１    ホース接続口部
３２    放水口部
３３    略Ｕ字状パイプ部
【図１】
2012023963.tif 000003
【図２】
2012023963.tif 000004
【図３】
2012023963.tif 000005
【図４】
2012023963.tif 000006
【図５】
2012023963.tif 000007
【図６】
2012023963.tif 000008
【図７】
2012023963.tif 000009